(57)【特許請求の範囲】
【請求項１】
ケーシング内の玉誘導路に沿って設けられ、玉を上流側から下流側へ回転作用により送出する玉送出羽根車と、この玉送出羽根車を歯車装置を介して回転駆動する正逆回転自在なモータと、送出された玉を２系統の分岐誘導路のいずか一方に選択、誘導可能な誘導路の切換えガイド材と、その分岐誘導路に設けられ、通過する玉をカウントする玉計数装置とを備えたパチンコ機の玉払出装置であって、前記歯車装置が次の歯車群からなり、かつ前記切換えガイド材が次の遊星ギヤ支持体により操作可能なものであることを特徴とする玉払出装置。
（１）モータの駆動軸に固定された駆動ギヤ。
（２）その駆動ギヤに噛み合うよう配置された遊星ギヤ。
（３）前記駆動軸を中心に遊合軸支され、その一端には前記遊星ギヤを前記駆動ギヤの周りを公転可能に軸支して、前記モータの正逆回転の切換えによりその回転方向に連動してスイング動作するよう設けられた遊星ギヤ支持体であって、そのスイング動作によって前記切換えガイド材を切換え動作させる係合部を備えた遊星ギヤ支持体。
（４）前記玉送出羽根車に直結して設けられた被駆動ギヤ。
（５）その被駆動ギヤに噛み合うよう配置された第１と第２の一対のアイドルギヤと第２のアイドルギヤに噛み合う第３のアイドルギヤであって、第１のアイドルギヤは、一方側にスイングしたときの前記遊星ギヤに噛み合うよう配置され、第２のアイドルギヤは、第３のアイドルギヤを介在させて、他方側にスイングしたときの前記遊星ギヤに間接的に噛み合うよう配置された、第１、２、３のアイドルギヤ。
【請求項２】
前記第１、２、３のアイドルギヤの少なくとも一つの支軸と前記モータの取付シャフトとを兼用させたものとした請求項１に記載の玉払出装置。
【請求項３】
ケーシング内に複数系統の玉誘導路を並設し、それぞれの誘導路内の玉を順次、送出可能とした請求項１または２に記載の玉払出装置。
【発明の詳細な説明】
【０００１】
【発明の属する技術分野】
本発明は、パチンコ機における玉を貸玉と賞玉とに区分し、それぞれの送り出し個数を計数しながら遊技者に提供できる玉払出装置の改良に関する。
【０００２】
【従来の技術】
パチンコ機裏面の中段から上部には、図７に例示するように、賞玉および貸玉を遊技者に供給するための装置として箱型の玉タンク（図示せず）、玉整列レール１１、玉の流速を制御する玉誘導路ユニット１２、およびとその玉計数装置に一定のピッチで玉を送り出すための玉計数機能付きの玉払出装置などを組み付けたケーシング２などが連続して配置されている。
【０００３】
そして、遊技者が入賞したり、また貸玉を要求したりしたときには、その電気信号に基づき、玉払出装置が起動する。なお、玉払出装置には、スクリューのピッチ間に玉を収納した状態でスクリューを回転させ、玉を一定のピッチで送り出す回転スクリュー方式、あるいは羽根車の羽根の間のポケットに玉を収納した状態で羽根車を回転させ、玉を一定のピッチで送り出すようにした方式の玉駆動機構がすでに実用化されている。
【０００４】
このように送り出された玉は、電磁センサなどを備えた玉計数装置によって正確な個数がカウントされ、次いでパチンコ機の所定場所に送り出されて遊技者に提供される。そして、この玉の送り出しに伴い、玉タンクに貯留されている玉は、下方の玉整列レール１１に流入し、ここで玉の流れは整流され、玉誘導路ユニット１２を通じて前記玉払出装置に順次供給されて補充されるよう構成されている。
【０００５】
このような従来の玉払出装置では、遊技者に提供される玉が賞玉か貸玉であるかを正確に区分し、それぞれを別個に個数管理する必要があった。このために、前記の玉駆動機構によって送り出された玉は、賞玉用および貸玉用誘導路のいずれか一方に送り込まれ、それぞれ専用の玉計数装置を通過するよう誘導路が構成されている。そして、この賞玉用および貸玉用誘導路の分岐部分には適宜形状の切換えガイド材が設けられ、その切換え操作は、電磁ソレノイドのストロークによって行うのが普通であった。したがって、このような従来の玉払出装置の場合、前記した玉駆動機構に必要なモータなどの動力装置の他に、電磁ソレノイドのような動力装置を配置する必要があって、機構が複雑になり、故障の原因となったり、合理化を阻害する要因の一つであった。
【０００６】
【発明が解決しようとする課題】
本発明は、上記の問題点を解決するためになされたものであり、賞玉用および貸玉用誘導路の切換えのために玉駆動機構に必要なモータなどの動力装置の利用を図るとともに、前記した電磁ソレノイドのような動力装置を省略して、機構を簡素化した玉払出装置を提供する。
【０００７】
【課題を解決するための手段】
上記の問題は、次の具体的な構成の玉払出装置によって解決することができる。ケーシング内の玉誘導路に沿って設けられ、玉を上流側から下流側へ回転作用により送出する玉送出羽根車と、この玉送出羽根車を歯車装置を介して回転駆動する正逆回転自在なモータと、送出された玉を２系統の分岐誘導路のいずか一方に選択、誘導可能な誘導路の切換えガイド材と、その分岐誘導路に設けられ、通過する玉をカウントする玉計数装置とを備えたパチンコ機の玉払出装置であって、前記歯車装置が次の歯車群からなり、かつ前記切換えガイド材が次の遊星ギア支持体により操作可能なものであることを特徴とする玉払出装置。
（１）モータの駆動軸に固定された駆動ギヤ。
（２）その駆動ギヤに噛み合うよう配置された遊星ギヤ。
（３）前記駆動軸を中心に遊合軸支され、その一端には前記遊星ギヤを前記駆動ギヤの周りを公転可能に軸支して、前記モータの正逆回転の切換えによりその回転方向に連動してスイング動作するよう設けられた遊星ギヤ支持体であって、そのスイング動作によって前記誘導ガイド材を切換え動作させる係合部を備えた遊星ギヤ支持体。
（４）前記玉送出羽根車に直結して設けられた被駆動ギヤ。
（５）その被駆動ギヤに噛み合うよう配置された第１と第２の一対のアイドルギヤと第２のアイドルギヤにかみあう第３のアイドルギヤであって、第１のアイドルギヤは、一方側にスイングしたときの前記遊星ギヤに噛み合うよう配置され、第２のアイドルギヤは、第３のアイドルギヤを介在させて、他方側にスイングしたときの前記遊星ギヤに間接的に噛み合うよう配置された、第１、２、３のアイドルギヤ。
【０００８】
【０００９】
本発明の特徴ある作用は次の通りである。先ず、本発明の玉払出装置ではそのモータと玉送出羽根車装置の回転方向の関係において、特定の歯車装置を用いているので、モータの回転方向に関係なく、玉送出羽根車装置は常に一定の方向に回転するので、下流側玉誘導路に一定のピッチで玉を送り出すことが可能となる。したがって、次のように、貸玉または賞玉の送出操作をモータの回転方向の切換えによって行っても、玉の下流側への送出動作自体はなんら支障が生じないのである。
【００１０】
次に、前記モータの回転方向の切換え動作に連動してスイングする遊星ギヤ支持体の動きによって、切換えガイド材が操作され、下流側玉誘導路が分岐誘導路の一方から他方へ切り換えられるので、モータの回転方向の切換えによって、送出した玉を貸玉用誘導路あるいは賞玉用誘導路のいずれか所望の通路に送り込むことができるのである。
【００１１】
【発明の実施の形態】
次に、本発明の玉払出装置に係る実施形態について、図１〜６を参照しながら説明する。
図１は、本発明の最も特徴とするところの、モータ３、遊星ギヤ３２を含む歯車装置、遊星ギヤ支持体４および玉送出羽根車７などの分解・展開斜視図である。図２、４はケーシング２における玉送出羽根車７や玉計数センサ２３、２４などを組み付け状態を示す断面透視図であり、また図３、５は、前２図における歯車装置部分の断面透視図である。また、図６は、玉送出羽根車７からモータ３にまでの一連の部材の組付け状態を示す側断面透視図である。
【００１２】
本発明の玉払出装置では、玉送出羽根車７がケーシング２内において玉誘導路２０に沿って配置され、後記のモータにより歯車装置を介して間接的に駆動される回転作用（図２〜５では逆時計針回転の方向）により、上流側から玉を受入れ、羽根間のポケットに収容した状態で移動させ、次いで下流側の分岐誘導路２１、２２の方へ玉を送出するよう設定されている。
また、図６に例示するように、その玉送出羽根車７を、追って詳述する歯車装置を介して回転駆動するための正逆回転自在なモータ３がケーシング２の外側に設けられている。
さらに、前記玉送出羽根車７によって送り出された玉を、２系統の分岐誘導路２１、２２のいずか一方に選択、誘導する誘導路の切換えガイド材８が玉送出羽根車７の直下に配置されるとともに、その分岐誘導路２１、２２のそれぞれには通過する玉をカウントするための玉計数センサ２３、２４などが配置されている。
【００１３】
そして、本発明の特徴的な要件は、次の（１）〜（５）に説明するように、前記歯車装置が次の歯車群からなり、かつ前記切換えガイド材が次の遊星ギア支持体により操作可能なものとされている点にある。
【００１４】
（１）駆動ギヤ３１：モータ３の駆動軸３１ａに固定され、モータ３の正逆回転に即応して回転し、その回転力を次の遊星ギヤ３２に伝達する歯車である。
（２）遊星ギヤ３２：前記駆動軸３１ａを中心に遊合軸支された遊星ギヤ支持体４の一端に軸支され、同時に、この歯車は前記駆動ギヤ３１に噛み合うよう配置されている。そこで、この駆動ギヤ３２の周りを公転可能なところから、遊星ギヤと名付けられている。
【００１５】
（３）遊星ギヤ支持体４：この遊星ギヤ支持体４は前記駆動軸３１ａを中心に遊合軸支され、その一端の突起軸４１には前記遊星ギヤ３２を前記駆動ギヤ３１に噛み合わせて軸支しているので、前記したように遊星ギヤ３２は駆動ギヤ３１の周りを公転可能に配置されている。したがって、この遊星ギヤ支持体４は、前記モータ３の正逆回転の切換えによりその回転方向に遊星ギヤ３２が引きずられることになり、回転の切り換えの都度、連動してスイング動作するよう設けられている。すなわち、駆動ギヤ３１が時計回りに回転するときは、遊星ギヤ３２は図３のように右方向にスイングし、駆動ギヤ３１が逆転するときは、遊星ギヤ３２は図５のように左方向にスイングすることになる。
【００１６】
さらに、この実施形態では、この遊星ギヤ支持体４の他方の端部には、前記の誘導ガイド材８を切換え動作させる係合部として、誘導ガイド材８の突起８２に係合する切り欠き部４２が設けられている。そして、このレバー状の遊星ギヤ支持体４自体の前記したスイング動作によって、切り欠き部４２が突起８２を動かして前記誘導ガイド材８をその支軸８１を中心にスイングさせると、先端部分８３が移動して、図２に示すように、玉誘導路を右側の分岐誘導路２１に連結させたり、また図４に示すように、玉誘導路を左側の分岐誘導路２２に連結させたりして、分岐誘導路の選択、切換え動作させることができる。
【００１７】
このように、本発明の誘導ガイド材８は、正逆回転可能なモータ３の正転、または逆転に切り換えに応じて、スイング動作する前記遊星ギヤ支持体４によって、分岐誘導路の選択、切り換え操作を行うので、分岐誘導路をあらかじめ貸玉用、賞玉用に区分しておけば、モータの正逆回転切り換え指示によって、供給される玉を区分管理することができるようになる。
【００１８】
（４）被駆動ギヤ６：前記玉送出羽根車７のモータ側に同軸状態で直結して設けられた、この玉送出羽根車７を回転させるための歯車である。
【００１９】
（５）アイドルギヤ５１、５２、５３：その被駆動ギヤ６に噛み合うよう配置された第１アイドルギヤ５１と第２アイドルギヤ５２の一対のアイドルギヤと、第２アイドルギヤ５２に噛み合う第３アイドルギヤ５３である。
第１アイドルギヤ５１は、一方側（図３に示すように、右方向に）にスイングしたときの前記遊星ギヤ３２に噛み合うよう配置され、また、第２アイドルギヤ５２は、第３アイドルギヤ５３を介在させて、他方側（図５に示すように、左方向に）にスイングしたときの前記遊星ギヤ３２に間接的に噛み合うよう配置されている。
【００２０】
以上説明したように本発明では、玉送出羽根車７を回転させる被駆動ギヤ６には、モータ側の駆動ギヤ３１が時計回りに回転するときは、駆動ギヤ３１→遊星ギヤ３２→第１アイドルギヤ５１の順に回転が伝達されるが、駆動ギヤ３１が逆時計回りに回転するときは、駆動ギヤ３１→遊星ギヤ３２→第３アイドルギヤ５３→第２アイドルギヤ５２の順に回転が伝達されことになり、駆動ギヤ３１が正逆いずれに回転しても、玉送出羽根車７は常に一方方向（図２〜５において、逆時計回りに）に回転することになり、玉をモータの正逆回転に無関係に、一定のピッチで送り出すことができるのである。
【００２１】
そして、かくして送り出された玉は、前述の通り、従来のような電磁ソレノイド装置のような個別の動力装置を要せず、モータの正逆回転によって分岐誘導路２１、２２の一方に選択的に誘導されるので、この分岐誘導路を貸玉用、賞玉用に区分しておけば、それぞれに配置された玉計数センサ２３、２４によって、遊技者に提供される貸玉および賞玉は個別に計数管理されることになる。
【００２２】
この実施形態では、玉送出装置としては、玉送出羽根車７を事例として説明したが、本発明はこれに限定されるものではなく、モータの回転動力により上流側の玉を下流側に送りだす機構を意味し、回転スクリュー方式の押し出し機構も含むものである。
また、前記モータと玉送出装置との間に配置されるところの、モータの回転方向が切り換えられても、前記玉送出装置を常に一定方向に回転するよう制御する遊星ギヤを含む歯車装置として、この実施形態では遊星ギヤ３２、アイドルギヤ５１、５２、５３などの組合せを示したが、本発明はこの形態に限定されないのは言うまでもない。
【００２３】
また、本発明では、前記第１、２、３のアイドルギヤは、それぞれケーシング２側に軸支する必要があるが、一方、モータ３もケーシング２側に固定しておく必要があるので、その第１、２、３のアイドルギヤの少なくとも一つの支軸と前記モータの取付シャフトとを兼用させた形態に具体化し、各部品の組付け構造を簡単なものにすることができる。
【００２４】
さらに、本発明では、図６に示すように、玉誘導路２０を２列の玉誘導路２０ａ、２０ｂのように、ケーシング内に複数系統の玉誘導路を並設し、それぞれの誘導路内の玉を、複数列の送り羽根を備えた単数の玉送出羽根車７によって、順次、送出可能とした形態に具体化することもできる。この場合には、玉の流れが複数になるので玉払出装置の払出し速度を大幅に向上させることができ、パチンコ機の遊技スピードを改善できる。
【００２５】
【発明の効果】
本発明の玉払出装置は、以上に説明したように構成されているので、正逆回転可能なモータの回転方向を切り換えることによりスイング動作するところの、構造の簡単なレバー状の遊星ギヤ支持体によって、誘導路切り換え用のガイド材を操作でき、送りだされた玉を確実に貸玉または賞玉に区分して計数管理をしながら遊技者に提供できるようになる。そして、従来必要であった電磁ソレノイドのような個別の駆動装置が不要となり、また、構造が簡単なのでそのメンテナンスも容易であるという優れた効果がある。よって本発明は従来の問題点を解消した玉払出装置として、その工業的価値は極めて大なるものがある。
【図面の簡単な説明】
【図１】本発明の実施形態の要部の分解・展開斜視図。
【図２】本発明のケーシング内玉送出羽根車を含む断面透視図。
【図３】本発明のケーシング内歯車装置部分を含む断面透視図。
【図４】本発明のケーシング内玉送出羽根車を含む他の断面透視図。
【図５】本発明のケーシング内歯車装置部分を含む他の断面透視図。
【図６】本発明の玉送出羽根車など歯車群とモータを含む断面透視図。
【図７】パチンコ機の裏面部品の配置を示す要部断面図。
【符号の説明】
２ ケーシング、２０ 玉誘導路、２１、２２ 分岐誘導路、２３、２４ 玉計数センサ、３ モータ、３１ 駆動ギヤ、３１ａ 駆動軸、３２ 遊星ギヤ、４遊星ギヤ支持体、４１ 突起軸、４２ 切り欠き部、５１ 第１アイドルギヤ、５２ 第２アイドルギヤ、５３ 第３アイドルギヤ、６ 被駆動ギヤ、７ 玉送出羽根車、８ 切換えガイド材、８１ 支軸、８２ 突起、８３ 先端部分。
【図１】
0004410341.tif 000002
【図２】
0004410341.tif 000003
【図３】
0004410341.tif 000004
【図４】
0004410341.tif 000005
【図５】
0004410341.tif 000006
【図６】
0004410341.tif 000007
【図７】
0004410341.tif 000008